(57)【要約】【課題】組立作業を効率良く行うことができるとともに、多くの衣類を掛けてもハンガーパイプが撓みにくい収納棚を提供することを目的とする。【解決手段】所定高さの両側板２ａ，２ａ間に棚板２ｂを架設することによって自立する下部収納体２と、この下部収納体２の両側板２ａ，２ａの上端面に架け渡して載置され、両側板２ａ，２ａの並設方向に長尺な上部収納体３とからなり、上部収納体３の下部には、この上部収納体３の長さ方向に沿って設けられ、ハンガー等を掛けるための長尺なハンガーパイプ４が設けられるとともに、下部収納体２の両側板２ａ，２ａの上端部には、ハンガーパイプ４が挿入されるパイプ溝２０がそれぞれ形成されていることを特徴とする収納棚１。これにより、パイプ溝にハンガーパイプを挿入するようにして、これら上部収納体と下部収納体とを確実に連結することができる。【選択図】図２
2008154812.tif 000002
【特許請求の範囲】
【請求項１】
所定高さの両側板間に棚板を架設することによって自立する下部収納体と、この下部収納体の両側板の上端面に架け渡して載置され、前記両側板の並設方向に長尺な上部収納体とからなり、
前記上部収納体の下部には、この上部収納体の長さ方向に沿って設けられ、ハンガー等を掛けるための長尺なハンガーパイプが設けられるとともに、前記下部収納体の両側板の上端部には、前記ハンガーパイプが挿入されるパイプ溝がそれぞれ形成されていることを特徴とする収納棚。
【請求項２】
請求項１に記載の収納棚において、
前記上部収納体は、前記下部収納体の両側板の上端面に架け渡して載置される上棚板と、この上棚板の下面の長さ方向両端に取り付けられる両側桟材と、これら両側桟材の一端部間に渡って上棚板の下面に取り付けられる主桟材とを備えており、
前記ハンガーパイプは、前記両側桟材間に架設されていることを特徴とする収納棚。
【請求項３】
請求項２に記載の収納棚において、
前記両側板の上端部の一端に、前記主桟材が係合する切欠部がそれぞれ形成されていることを特徴とする収納棚。
【請求項４】
請求項１〜３のいずれか一項に記載の収納棚において、
前記下部収納体は、この下部収納体を前記上部収納体の長さ方向に沿って移動させる移動手段を備えていることを特徴とする収納棚。
【請求項５】
請求項１〜４のいずれか一項に記載の収納棚において、
前記下部収納体は、前記上部収納体に対して、少なくとも１つ以上設けられていることを特徴とする収納棚。
【発明の詳細な説明】
【技術分野】
【０００１】
本発明は、押入れ等を含むクローゼット内で衣類等を収納するための収納棚に関する。
【背景技術】
【０００２】
従来、押入れ等を含むクローゼット内で衣類等を収納するための収納棚について種々の技術が提案されている（例えば、特許文献１参照）。
特許文献１に記載のクローゼットは、左右に立設する一対の側部材と、該側部材間に水平に配置される棚部材及びハンガー掛部とを備えてなり、室内の家具として箪笥状に使用されたり、押し入れや収納室内に組み込まれたりして用いられる。
このようなクローゼットによれば、少なくとも一方の側部材に側面開口部を設け、該側面開口部を開閉可能なブラインド機構を配設しており、通気性の確保や、収納物を外部から隠蔽することができる。
【特許文献１】特開２００３−１４４２４８号公報
【発明の開示】
【発明が解決しようとする課題】
【０００３】
ところが、特許文献１のようなクローゼットのハンガー掛部は、一対の側部材間に水平に配置されているだけであるため、このハンガー掛部に大きな荷重がかかると大きく撓んでしまう場合があった。
また、このハンガー掛部だけでなく棚部材や支持杆等は、一対の側部材間に配置される構成となっている。このため、このクローゼットを組み立てる際は、例えば一方の側部材を片手で押さえながら組立作業を行ったり、複数人数で側部材や棚部材、支持杆等を支えながら組立作業を行わなければならず、手間であった。
【０００４】
本発明の課題は、組立作業を効率良く行うことができるとともに、多くの衣類を掛けてもハンガーパイプが撓みにくい収納棚を提供することを目的とする。
【課題を解決するための手段】
【０００５】
請求項１に記載の発明は、収納棚１であり、例えば図１および図２に示すように、所定高さの両側板２ａ，２ａ間に棚板２ｂを架設することによって自立する下部収納体２と、この下部収納体２の両側板２ａ，２ａの上端面に架け渡して載置され、前記両側板２ａ，２ａの並設方向に長尺な上部収納体３とからなり、
前記上部収納体３の下部には、この上部収納体３の長さ方向に沿って設けられ、ハンガー等を掛けるための長尺なハンガーパイプ４が設けられるとともに、前記下部収納体２の両側板２ａ，２ａの上端部には、前記ハンガーパイプ４が挿入されるパイプ溝２０がそれぞれ形成されていることを特徴とする。
【０００６】
請求項１に記載の発明によれば、前記上部収納体３の下部にハンガーパイプ４が設けられるとともに、前記下部収納体２の両側板２ａ，２ａの上端部にパイプ溝２０がそれぞれ形成されているので、前記上部収納体３を、前記パイプ溝２０，２０にハンガーパイプ４を挿入するようにして、下部収納体２の両側板２ａ，２ａの上端面に架け渡して載置することで、これら上部収納体３と下部収納体２とを確実に連結することができる。そして、前記ハンガーパイプ４は、前記パイプ溝２０，２０に挿入されて前記下部収納体２に支持された状態となるので、この下部収納体２によってハンガーパイプ４に掛けられた衣類等の重量を支持することができ、耐荷重性に優れる。これによって、従来とは異なり、ハンガーパイプ４が大きく撓んでしまうことを確実に防ぐことが可能となる。
また、自立する下部収納体２の両側板２ａ，２ａの上端面に対して、前記上部収納体３を架け渡して載置するだけで、これら上部収納体３と下部収納体２とを確実に連結できることから、下方から積み上げるだけの組立作業を行うだけで収納棚１を形成することができるので、従来とは異なり、片手で押さえながら組立作業を行ったり、複数人数で組立作業を行う必要が無く、収納棚１の組立作業を効率良く行うことができる。
【０００７】
請求項２に記載の発明は、例えば図１〜図３に示すように、請求項１に記載の収納棚１において、
前記上部収納体３は、前記下部収納体２の両側板２ａ，２ａの上端面に架け渡して載置される上棚板３ａと、この上棚板３ａの下面の長さ方向両端に取り付けられる両側桟材３ｂ，３ｂと、これら両側桟材３ｂ，３ｂの一端部間に渡って上棚板３ａの下面に取り付けられる主桟材３ｃとを備えており、
前記ハンガーパイプ４は、前記両側桟材３ｂ，３ｂ間に架設されていることを特徴とする。
【０００８】
請求項２に記載の発明によれば、前記上棚板３ａの下面に両側桟材３ｂ，３ｂおよび主桟材３ｃが取り付けられていることから、これら両側桟材３ｂ，３ｂおよび主桟材３ｃによって前記上棚板３ａの反りや撓みを防ぐことができるので、延いては、上部収納体３全体を補強することができる。これによって、前記両側桟材３ｂ，３ｂ間に架設されたハンガーパイプ４に衣類等を掛けた際にかかる荷重を、前記下部収納体２だけでなく、上部収納体３でも負担することができるので、ハンガーパイプ４の耐荷重性をより向上させることができ、ハンガーパイプ４が大きく撓んでしまうことをより確実に防ぐことが可能となる。
【０００９】
請求項３に記載の発明は、例えば図４に示すように、請求項２に記載の収納棚１において、
前記両側板２ａ，２ａの上端部の一端に、前記主桟材３ｃが係合する切欠部２１がそれぞれ形成されていることを特徴とする。
【００１０】
請求項３に記載の発明によれば、前記両側板２ａ，２ａの上端部の一端に、前記主桟材３ｃが係合する切欠部２１がそれぞれ形成されているので、これら切欠部２１，２１に主桟材３ｃを係合させることで、主桟材３ｃが前記下部収納体２に支持された状態となる。これによって、前記上部収納体３と下部収納体２とを緊密に連結することができるとともに、前記主桟材３ｃにかかる荷重を前記下部収納体２によって負担することができるので、この主桟材３ｃが取り付けられた上棚板３ａの反りや撓みをより確実に防ぐことができる。
【００１１】
請求項４に記載の発明は、例えば図５に示すように、請求項１〜３のいずれか一項に記載の収納棚１において、
前記下部収納体２は、この下部収納体２を前記上部収納体３の長さ方向に沿って移動させる移動手段５を備えていることを特徴とする。
【００１２】
請求項４に記載の発明によれば、前記下部収納体２は、この下部収納体２を前記上部収納体３の長さ方向に沿って移動させる移動手段５を備えているので、前記下部収納体２を、前記上部収納体３に対して容易に移動させることが可能となり、前記上部収納体３に対する下部収納体２の配置位置を適宜変更することができる。
【００１３】
請求項５に記載の発明は、例えば図６に示すように、請求項１〜４のいずれか一項に記載の収納棚１において、
前記下部収納体２は、前記上部収納体３に対して、少なくとも１つ以上設けられていることを特徴とする。
【００１４】
請求項５に記載の発明によれば、前記下部収納体２は、前記上部収納体３に対して、少なくとも１つ以上設けられていることから、前記下部収納体２を上部収納体３に対して複数設けた場合は、これら複数の下部収納体２，２…によって、前記上部収納体３を確実かつ安定的に支持することができるので、自立した収納棚１として様々な場所に配置して使用することができる。
また、これら複数の下部収納体２，２…によって、ハンガーパイプ４に掛けられた衣類等の重量を、より確実かつ安定的に支持することができるので、耐荷重性において格段に優れ、ハンガーパイプ４が大きく撓んでしまうことをより一層確実に防ぐことが可能となる。
【発明の効果】
【００１５】
本発明によれば、上部収納体の下部にハンガーパイプが設けられるとともに、下部収納体の両側板の上端部にパイプ溝がそれぞれ形成されているので、上部収納体を、パイプ溝にハンガーパイプを挿入するようにして、下部収納体の両側板の上端面に架け渡して載置することで、これら上部収納体と下部収納体とを確実に連結することができる。そして、ハンガーパイプは、パイプ溝に挿入されて下部収納体に支持された状態となるので、この下部収納体によってハンガーパイプに掛けられた衣類等の重量を支持することができ、耐荷重性に優れる。これによって、従来とは異なり、ハンガーパイプが大きく撓んでしまうことを確実に防ぐことが可能となる。
また、自立する下部収納体の両側板の上端面に対して、上部収納体を架け渡して載置するだけで、これら上部収納体と下部収納体とを確実に連結できることから、下方から積み上げるだけの組立作業を行うだけで収納棚を形成することができるので、従来とは異なり、片手で押さえながら組立作業を行ったり、複数人数で組立作業を行う必要が無く、収納棚の組立作業を効率良く行うことができる。
【発明を実施するための最良の形態】
【００１６】
以下、図面を参照して本発明の実施の形態について説明する。
【００１７】
本実施の形態の収納棚１は、図１および図２に示すように、所定高さの両側板２ａ，２ａ間に棚板２ｂを架設することによって自立する下部収納体２と、この下部収納体２の両側板２ａ，２ａの上端面に架け渡して載置され、前記両側板２ａ，２ａの並設方向に長尺な上部収納体３とからなり、前記上部収納体３の下部には、この上部収納体３の長さ方向に沿って設けられ、ハンガー等を掛けるための長尺なハンガーパイプ４が設けられるとともに、前記下部収納体２の両側板２ａ，２ａの上端部には、前記ハンガーパイプ４が挿入されるパイプ溝２０がそれぞれ形成されている。
【００１８】
すなわち、前記上部収納体３の下部にハンガーパイプ４が設けられるとともに、前記下部収納体２の両側板２ａ，２ａの上端部にパイプ溝２０がそれぞれ形成されているので、前記上部収納体３を、前記パイプ溝２０，２０にハンガーパイプ４を挿入するようにして、下部収納体２の両側板２ａ，２ａの上端面に架け渡して載置することで、これら上部収納体３と下部収納体２とが連結された状態となる。
そして、前記ハンガーパイプ４は、前記パイプ溝２０，２０に挿入されて前記下部収納体２に支持された状態となるので、この下部収納体２によってハンガーパイプ４に掛けられた衣類等の重量を支持することができ、耐荷重性に優れたものとなる。
【００１９】
また、自立する下部収納体２の両側板２ａ，２ａの上端面に対して、前記上部収納体３を架け渡して載置するだけで、これら上部収納体３と下部収納体２とを確実に連結できることから、下方から積み上げるだけの組立作業を行うだけで収納棚１を形成できるようになっている。
【００２０】
ここで、前記下部収納体２は、図２に示すように、２枚の側板２ａと、これら２枚の側板２ａ間に複数の棚板２ｂ，２ｂ…が架設されることによって構成されており、この下部収納体２単体で自立可能となっている。なお、本実施の形態の両側板２ａ，２ａおよび棚板２ｂは、合板等で所定形状に形成されたものであり、止着材や接着剤等による接合方法によって適宜接合されている。
【００２１】
なお、この下部収納体２には、図示はしないが背板および扉を設けるなどして、下部収納体２を一方側から使用するような形態としても良いが、背板および扉等を設けずに、下部収納体２を両方から使用できるような形態としても良い。
【００２２】
前記上部収納体３は、図２に示すように、前記下部収納体２の両側板２ａ，２ａの上端面に架け渡して載置される上棚板３ａと、この上棚板３ａの下面の長さ方向両端に取り付けられる両側桟材３ｂ，３ｂと、これら両側桟材３ｂ，３ｂの一端部間に渡って上棚板３ａの下面に取り付けられる主桟材３ｃとを備えている。
また、前記両側桟材３ｂ，３ｂ間に、ハンガー等を掛けるための長尺なハンガーパイプ４が架設されており、図３に示すように、このハンガーパイプ４の端部は、パイプ受け金物４ａで受けた状態となっている。
【００２３】
なお、本実施の形態の上棚板３ａは、合板等で矩形状に形成されたものである。
また、本実施の形態のハンガーパイプ４は、金属で断面楕円状に形成されたものであり、このように断面楕円状に形成されることで、上下方向に撓みにくい構成となっている。
さらに、前記上棚板３ａは、図２に示すように板状のものであるが、このような板状体の代わりに、ボックス状（図示せず）のものを取り付けるようにしても良い。ボックス状とは、例えばカラーボックスのようなものである。
【００２４】
そして、このように前記上棚板３ａの下面に両側桟材３ｂ，３ｂおよび主桟材３ｃが取り付けられていることから、これら両側桟材３ｂ，３ｂおよび主桟材３ｃによって前記上棚板３ａの反りや撓みを防ぐことができるので、延いては、上部収納体３全体を補強することができる。
これによって、前記両側桟材３ｂ，３ｂ間に架設されたハンガーパイプ４に衣類等を掛けた際にかかる荷重を、前記下部収納体２だけでなく、上部収納体３でも負担することができるので、ハンガーパイプ４の耐荷重性をより向上させることができ、ハンガーパイプ４が大きく撓んでしまうことを確実に防ぐことが可能となっている。
【００２５】
また、前記ハンガーパイプ４を挿入するためのパイプ溝２０が、前記下部収納体２の両側板２ａ，２ａの上端部にそれぞれ形成されている。
なお、本実施の形態のパイプ溝２０，２０の形成位置は、図２に示すように、前記両側板２ａ，２ａの上端部の端部に形成されるものとする。これは、ハンガーパイプ４に掛けられるハンガーおよび衣類の肩幅寸法と、前記両側板２ａ，２ａの幅寸法とを考慮したものであり、両側板２ａ，２ａの幅寸法に対してハンガーおよび衣類の肩幅寸法が大きい場合において好ましい。一方、両側板２ａ，２ａの幅寸法に対してハンガーおよび衣類の肩幅寸法が同じか小さい場合には、図７に示すように、前記パイプ溝２０，２０の形成位置を、両側板２ａ，２ａの上端部の中央部付近に設定することが好ましい。
このようにハンガーおよび衣類の肩幅寸法と、前記両側板２ａ，２ａの幅寸法とを考慮した位置にパイプ溝２０，２０を形成することによって、ハンガーパイプ４に掛けられるハンガーおよびハンガーに掛けられた衣類の納まりが良くなるので望ましい。
【００２６】
さらに、図４に示すように、前記下部収納体２の両側板２ａ，２ａの上端部の一端には、前記主桟材３ｃが係合する切欠部２１がそれぞれ形成されており、これら切欠部２１，２１に主桟材３ｃを係合させることで、主桟材３ｃが前記下部収納体２に支持された状態となる。
【００２７】
このように主桟材３ｃが前記下部収納体２に支持された状態となることで、前記上部収納体３と下部収納体２とを緊密に連結することができるとともに、前記主桟材３ｃにかかる荷重を前記下部収納体２によって負担することができるので、この主桟材３ｃが取り付けられた上棚板３ａの反りや撓みをより確実に防ぐことができるようになっている。
【００２８】
一方、前記下部収納体２は、図５（ａ）に示すように、この下部収納体２を前記上部収納体３の長さ方向に沿って移動させる移動手段５を備えるようにしても良い。
この移動手段５は、前記下部収納体２を上部収納体３の長さ方向に沿って移動させる方向に回転可能な複数のキャスター５ａ，５ａ…と、これら複数のキャスター５ａ，５ａ…が下面に取り付けられ、前記下部収納体２の下端部に取り付けられる底板部５ｂとからなる。
また、図５（ｂ）に示すように、前記底板部５ｂの下面には、前記両側板２ａ，２ａ間に架け渡されるようにして目隠し壁５ｃが取り付けられており、前記複数のキャスター５ａ，５ａ…への視線を遮ることができるようになっている。
【００２９】
そして、以上のように前記下部収納体２は、この下部収納体２を前記上部収納体３の長さ方向に沿って移動させる移動手段５を備えているので、前記下部収納体２を、前記上部収納体３に対して容易に移動させることが可能となり、前記上部収納体３に対する下部収納体２の配置位置を適宜変更することができる。
すなわち、例えば前記上部収納体３の両側桟材３ｂ，３ｂおよび主桟材３ｃのうち、少なくとも一つを建物の壁に取付固定しておくことによって、上部収納体３の配置位置を固定することができるので、配置位置の固定された上部収納体３に対して、複数のキャスター５ａ，５ａ…が取り付けられた下部収納体２の配置位置を適宜変更できるのは言うまでもない。
【００３０】
なお、建物の壁に取付固定されたのが前記両側桟材３ｂ，３ｂのうちの一方だけであった場合は、この一方の側桟材３ｂの位置からより離れた位置に下部収納体２を配置すると安定的な設置状態を確保できるので望ましい。
【００３１】
また、前記下部収納体２を、上部収納体３の長さ方向に沿って移動させる際は、前記下部収納体２のパイプ溝２０，２０に対して、前記上部収納体３のハンガーパイプ４が挿入された状態となっているので、ハンガーパイプ４の長さ方向に沿って移動させることになる。
【００３２】
同じく、前記下部収納体２の切欠部２１，２１に対して、前記上部収納体３の主桟材３ｃが係合した状態となっているので、前記下部収納体２は、主桟材３ｃの長さ方向に沿って移動させることにもなる。
この時、下部収納体２をよりスムーズに移動させるため、図８に示すように、前記切欠部２１，２１にローラー６を取り付けるようにしても良い。このローラー６は、その回転軸が切欠部２１と上棚板３ａとの間に架設されることによって、ローラー面が前記主桟材３ｃの側面に当接するように設けられている。
なお、本実施の形態のローラー６は、その回転軸を切欠部２１と上棚板３ａとの間に架設したが、これに限られるものではなく、例えば回転軸を切欠部２１と建物の壁との間に架設するようにして、ローラー面が前記主桟材３ｃの下面に当接するように設けても良いものとする。
【００３３】
また、図９に示すように、下部収納体２の両側板２ａ，２ａ間に、前記パイプ溝２０，２０よりも下方に位置するようにして天板部７を架設するようにしても良い。
これにより、前記下部収納体２の最上部に位置する棚板２ｂに多数の衣類を積み重ねて収納した場合において、下部収納体２を上部収納体３の長さ方向に沿って移動させた際に、一番上の衣類がハンガーパイプ４とパイプ溝２０，２０との間に巻き込まれるのを防ぐことができるようになっている。
【００３４】
そして、以上のような構成の収納棚１において、前記下部収納体２は、図６に示すように、前記上部収納体３に対して、少なくとも１つ以上設けられている。
これは、前記上部収納体３の長さ方向両端に、下部収納体２がそれぞれ設けられたものであり、２つの自立する下部収納体２の両側板２ａ，２ａの上端面に、パイプ溝２０，２０にハンガーパイプ４を挿入するようにして、上部収納体３が載置されている。
【００３５】
これによれば、これら複数の下部収納体２，２…によって、前記上部収納体３を確実かつ安定的に支持することができるので、自立した収納棚１として様々な場所に配置して使用することができる。
また、これら複数の下部収納体２，２…によって、ハンガーパイプ４に掛けられた衣類等の重量を、より確実かつ安定的に支持することができるので、耐荷重性において格段に優れ、ハンガーパイプ４が大きく撓んでしまうことをより一層確実に防ぐことが可能となっている。
なお、自立した収納棚１として配置される様々な場所とは、例えば部屋の壁際や廊下の壁際、ウォークインクローゼット内など、建物内の種々の場所が挙げられる。
【００３６】
次に、本実施の形態の収納棚１の組立方法について説明する。
【００３７】
本実施の形態の収納棚１の組立方法は、まず、前記パイプ溝２０，２０および切欠部２１，２１が形成された両側板２ａ，２ａ間に複数の棚板２ｂ，２ｂ…を架設して、予め下部収納体２を組み立てて形成しておくようにする。
一方、前記上棚板３ａの下面に、前記両側桟材３ｂ，３ｂおよび主桟材３ｃを取り付けるとともに、前記両側桟材３ｂ，３ｂにパイプ受け金物４ａを取り付けておく。そして、これらパイプ受け金物４ａ，４ａ間にハンガーパイプ４を架設して上部収納体３を形成しておくようにする。
【００３８】
続いて、以上のように形成された上部収納体３を、パイプ溝２０，２０にハンガーパイプ４を挿入するようにして、また、切欠部２１，２１に主桟材３ｃを係合させるようにして、下部収納体２の両側板２ａ，２ａの上端面に架け渡して載置する。
【００３９】
以上のようにして本実施の形態の収納棚１を組み立てることができるようになっている。すなわち、各部材を下方から積み上げるだけの組立作業を行うだけで収納棚１を形成することができるので、従来とは異なり、片手で押さえながら組立作業を行ったり、複数人数で組立作業を行う必要が無く、収納棚１の組立作業を効率良く行うことが可能となっている。
【００４０】
なお、本実施の形態の収納棚１の組立作業は以上のようなものに限られない。つまり、例えば、自立する下部収納体２に対して、まず、パイプ溝２０，２０にハンガーパイプ４を挿入するようにしてから、両側桟材３ｂ，３ｂおよび主桟材３ｃどうしを組み立てたものを設けたり、切欠部２１，２１に、両側桟材３ｂ，３ｂおよび主桟材３ｃどうしを組み立てたものを係合させるようにしてから上棚板３ａを載せるようにして設けたり等、種々のものが考えられるが、本発明の趣旨を逸脱しない範囲で適宜変更可能である。
【００４１】
また、前記上部収納体３を建物の壁に固定する際は、上部収納体３を下部収納体２の両側板２ａ，２ａの上端面に架け渡して載置してから、前記両側桟材３ｂ，３ｂおよび主桟材３ｃのうち、少なくとも一つを止着材等によって壁に取付固定するのが望ましい。
このように上部収納体３の固定を行えば、片手で押さえながら組立作業を行ったり、複数人数で組立作業を行う必要が無くなったり、各部材を落下させて傷付けることも無い。その上、壁にクロスを貼り付けた後であっても上部収納体３を取付可能となるので、収納棚１を、新築建物だけでなく、リフォーム時に取り付けたり、部屋の模様替えの際に取り付けたりすることも可能となっている。
【００４２】
次に、本実施の形態の収納棚１の実施例について説明する。
【００４３】
本実施例の収納棚１は、図１０に示すように、ウォークインクローゼット８内に設けられており、ウォークインクローゼット８の壁８ａ，８ａ間に渡って設けられている。すなわち、上部収納体３の両側桟材３ｂ，３ｂが、ウォークインクローゼット８の両側の壁８ａ，８ａにそれぞれ取付固定され、上部収納体３の主桟材３ｃが、ウォークインクローゼット８の両側の壁８ａ，８ａに隣接する壁８ｂに取付固定された状態となっている。
なお、このウォークインクローゼット８の両側の壁８ａ，８ａに隣接する壁８ｂには、ウォークインクローゼット８と隣接する部屋とを行き来する出入口９が設けられている。
【００４４】
そして、前記上部収納体３に対して下部収納体２は４つ設けられており、これら下部収納体２，２，２，２は、それぞれパイプ溝２０，２０にハンガーパイプ４を挿入させているとともに、切欠部２１，２１に主桟材３ｃを係合させている。
さらに、これら４つの下部収納体２，２，２，２の下端部には複数のキャスター５ａ，５ａ…が取り付けられており、前記上部収納体３の長さ方向に沿って移動させることができるようになっている。
【００４５】
すなわち、この収納棚１は、クローゼット８を使用する時は、図１０に示すように出入口９を塞いで使用することができるとともに、クローゼット８を使用しない時は、図１１に示すように、下部収納体２，２，２，２を出入口９の無い方に寄せておくことができるようになっている。
【００４６】
なお、以上のように本実施例の収納棚１は４つの下部収納体２，２，２，２を用いるとともに、ウォークインクローゼット８内の壁８ａ，８ａ間に架設できるような長さ寸法を有する上部収納体３を用いるものとしたが、これに限られるものではなく、収納棚１を設置する場所や利用方法等によって、また本発明の趣旨を逸脱しない範囲で適宜変更可能である。
【００４７】
本実施の形態によれば、前記上部収納体３の下部にハンガーパイプ４が設けられるとともに、前記下部収納体２の両側板２ａ，２ａの上端部にパイプ溝２０がそれぞれ形成されているので、前記上部収納体３を、前記パイプ溝２０，２０にハンガーパイプ４を挿入するようにして、下部収納体２の両側板２ａ，２ａの上端面に架け渡して載置することで、これら上部収納体３と下部収納体２とを確実に連結することができる。そして、前記ハンガーパイプ４は、前記パイプ溝２０，２０に挿入されて前記下部収納体２に支持された状態となるので、この下部収納体２によってハンガーパイプ４に掛けられた衣類等の重量を支持することができ、耐荷重性に優れる。これによって、従来とは異なり、ハンガーパイプ４が大きく撓んでしまうことを確実に防ぐことが可能となる。
また、自立する下部収納体２の両側板２ａ，２ａの上端面に対して、前記上部収納体３を架け渡して載置するだけで、これら上部収納体３と下部収納体２とを確実に連結できることから、下方から積み上げるだけの組立作業を行うだけで収納棚１を形成することができるので、従来とは異なり、片手で押さえながら組立作業を行ったり、複数人数で組立作業を行う必要が無く、収納棚１の組立作業を効率良く行うことができる。
【図面の簡単な説明】
【００４８】
【図１】本発明の収納棚の一例を示す斜視図である。
【図２】図１に示す収納棚の組み立て前の状態を示す斜視図である。
【図３】パイプ受け金物でハンガーパイプを受けた状態を示す斜視図である。
【図４】切欠部に主桟材を係合させた状態を示す斜視図である。
【図５】（ａ）は下部収納体に移動手段を設けた状態を示す正面図であり、（ｂ）は下部収納体に目隠し壁を取り付けた状態を示す斜視図である。
【図６】本発明の収納棚の一例を示す斜視図である。
【図７】パイプ溝の形成位置の一例を示す斜視図である。
【図８】切欠部にローラーを設けた状態を示す側断面図である。
【図９】下部収納体に天板部を設けた状態を示す斜視図である。
【図１０】本発明の収納棚の実施例を示す斜視図である。
【図１１】図１０に示す収納棚において複数の下部収納体を一方に寄せた状態を示す斜視図である。
【符号の説明】
【００４９】
１  収納棚
２  下部収納体
３  上部収納体
４  ハンガーパイプ
２０  パイプ溝 
【図１】
2008154812.tif 000003
【図２】
2008154812.tif 000004
【図３】
2008154812.tif 000005
【図４】
2008154812.tif 000006
【図５】
2008154812.tif 000007
【図６】
2008154812.tif 000008
【図７】
2008154812.tif 000009
【図８】
2008154812.tif 000010
【図９】
2008154812.tif 000011
【図１０】
2008154812.tif 000012
【図１１】
2008154812.tif 000013